(57)【要約】      （修正有）【課題】美観や芳香性に優れた温浴装置を提供する。【解決手段】温浴槽２０は、その内壁に複数の短冊状の檜からなる板部材が敷設される。この温浴槽２０の内壁に板部材を敷設する場合には、まず、温浴槽２０の底辺に複数の底辺用板部材２３ａを敷設する。次に、温浴槽２０の横方向側壁に複数の横側壁用板部材２３ｂを、底辺用板部材２３ａの平面上方に配置させる。さらに、温浴槽２０の縦方向側壁に複数の縦側壁用板部材２３ｃを、底辺用板部材２３ａの平面上方に配置させる。これとともに、縦側壁用いた部材２３ｃを、横側壁用板部材２３ｂの前面に当接して配置させる。底辺用板部材２３ａ、横側壁用板部材２３ｂ、および、縦側壁用板部材２３ｃを配置させた後、縦側壁板部材２３ｃを固定部材２４により押止する。【選択図】図８
2007000165.tif 000002
【特許請求の範囲】
【請求項１】
温浴槽と、
前記温浴槽の内壁に敷設される複数の短冊状の木製板部材と、
前記温浴槽に貯留させるための液体を加熱する加熱機構と、
前記温浴槽と前記加熱機構との間で液体を循環させる循環機構と、
を備えることを特徴とする温浴装置。
【請求項２】
請求項１に記載の温浴装置において、
前記木製板部材を固定するための固定部材を備え、
前記木製板部材は、前記温浴槽の底辺に敷設される複数の底辺用板部材と、前記温浴槽の横方向側壁に敷設される複数の横側壁用板部材と、前記温浴槽の縦方向側壁に敷設される複数の縦側壁用板部材と、からなり、
前記横側壁用板部材は、前記底辺用板部材の平面上方に配置されて、前記底辺用板部材をその上方から押圧し、
前記縦側壁用板部材は、前記底辺用板部材の平面上方に配置されて、前記底辺用板部材をその上方から押圧するとともに、前記横側壁用板部材の前面に当接して配置されて、前記横側壁用板部材をその前面から押圧し、さらに前記固定部材に押止される温浴装置。
【請求項３】
請求項１または請求項２に記載の温浴装置において、
前記温浴槽は、脚用の温浴槽から構成される温浴装置。
【請求項４】
請求項１または請求項２に記載の温浴装置において、
前記温浴槽は、脚用の温浴槽と、一対の腕用の温浴槽と、から構成される温浴装置。
【請求項５】
請求項４に記載の温浴装置において、
前記循環機構は、前記脚用の温浴槽と、前記一対の腕用の温浴槽と、の間で液体を循環させる温浴装置。
【請求項６】
請求項１乃至請求項５のいずれかに記載の温浴装置において、
前記木製板部材は、檜からなる温浴装置。
【請求項７】
請求項１乃至請求項６のいずれかに記載の温浴装置において、
前記木製板部材は、前記温浴槽に着脱自在に敷設される温浴装置。
【発明の詳細な説明】
【技術分野】
【０００１】
この発明は、木製板部材を敷設した温浴槽を備える温浴装置に関する。
【背景技術】
【０００２】
従来の温浴装置として、例えば、特許文献１に記載のように、ＦＲＰ（繊維強化合成樹脂）製の温浴槽を備えるものが公知である。
【０００３】
この特許文献１に記載の装置は、張力を有する可撓性の繊維材料に対して、常温で軟性を有する樹脂を含有させてなる軟質複合樹脂材料により温浴槽の主要部が形成されることを特徴とする。このため、特許文献１に記載の装置によれば、入浴者が浴槽内と接触する時に受ける衝撃を低減させることができる。
【特許文献１】特開２００１−２５２２０７号公報
【発明の開示】
【発明が解決しようとする課題】
【０００４】
しかしながら、特許文献１に記載の装置は、合成樹脂材料により温浴槽を構成しているため、美観や芳香性に欠ける等の欠点があった。
【０００５】
この発明は、以上のような課題を解決するためになされたものであり、美観や芳香性に優れた温浴装置を提供することを目的とする。
【課題を解決するための手段】
【０００６】
請求項１に記載の発明は、温浴槽と、前記温浴槽の内壁に敷設される複数の短冊状の木製板部材と、前記温浴槽に貯留させるための液体を加熱する加熱機構と、前記温浴槽と前記加熱機構との間で液体を循環させる循環機構と、を備えることを特徴とする。
【０００７】
請求項２に記載の発明は、請求項１に記載の温浴装置において、前記木製板部材を固定するための固定部材を備え、前記木製板部材は、前記温浴槽の底辺に敷設される複数の底辺用板部材と、前記温浴槽の横方向側壁に敷設される複数の横側壁用板部材と、前記温浴槽の縦方向側壁に敷設される複数の縦側壁用板部材と、からなり、前記横側壁用板部材は、前記底辺用板部材の平面上方に配置されて、前記底辺用板部材をその上方から押圧し、前記縦側壁用板部材は、前記底辺用板部材の平面上方に配置されて、前記底辺用板部材をその上方から押圧するとともに、前記横側壁用板部材の前面に当接して配置されて、前記横側壁用板部材をその前面から押圧し、さらに前記固定部材に押止される。
【０００８】
請求項３に記載の発明は、請求項１または請求項２に記載の温浴装置において、前記温浴槽は、脚用の温浴槽から構成される。
【０００９】
請求項４に記載の発明は、請求項１または請求項２に記載の温浴装置において、前記温浴槽は、脚用の温浴槽と、一対の腕用の温浴槽と、から構成される。
【００１０】
請求項５に記載の発明は、請求項４に記載の温浴装置において、前記循環機構は、前記脚用の温浴槽と、前記一対の腕用の温浴槽と、の間で液体を循環させる。
【００１１】
請求項６に記載の発明は、請求項１乃至請求項５のいずれかに記載の温浴装置において、前記木製板部材は、檜からなる。
【００１２】
請求項７に記載の発明は、請求項１乃至請求項６のいずれかに記載の温浴装置において、前記木製板部材は、前記温浴槽に着脱自在に敷設される。
【発明の効果】
【００１３】
請求項１に記載の発明によれば、温浴槽と、温浴槽の内壁に敷設される複数の短冊状の木製板部材と、を備えることから、美観や芳香性に優れた効果を奏する。
【００１４】
請求項２に記載の発明によれば、木製板部材を固定するための固定部材を備え、木製板部材は、温浴槽の底辺に敷設される複数の底辺用板部材と、温浴槽の横方向側壁に敷設される複数の横側壁用板部材と、温浴槽の縦方向側壁に敷設される複数の縦側壁用板部材と、からなり、横側壁用板部材は、底辺用板部材の平面上方に配置されて、底辺用板部材をその上方から押圧し、縦側壁用板部材は、底辺用板部材の平面上方に配置されて、底辺用板部材をその上方から押圧するとともに、横側壁用板部材の前面に当接して配置されて、横側壁用板部材をその前面から押圧し、さらに前記固定部材に押止されることから、簡易な構成でありながら、温浴槽の内壁に木製板部材を敷設することが可能となる。
【００１５】
請求項３に記載の発明によれば、温浴槽は、脚用の温浴槽から構成されることから、局所的に脚の血行を促進させることが可能となる。
【００１６】
請求項４に記載の発明によれば、温浴槽は、脚用の温浴槽と、一対の腕用の温浴槽と、から構成されることから、局所的に体内の血行を促進させることが可能となる。
【００１７】
請求項５に記載の発明によれば、循環機構は、脚用の温浴槽と、一対の腕用の温浴槽と、の間で液体を循環させることから、脚用の温浴槽に供給される液体と、一対の腕用の温浴槽に供給される液体とを単一に処理することが可能となる。
【００１８】
請求項６に記載の発明によれば、木製板部材は、檜からなることから、ヒノキチオール成分を液体に溶解させることが可能となる。
【００１９】
請求項７に記載の発明によれば、木製板部材は、温浴槽に着脱自在に敷設されることから、木製板部材の状態が悪化した場合に、簡易に木製板部材を取り換えることが可能となる。
【発明を実施するための最良の形態】
【００２０】
以下、この発明の実施形態について図面に基づいて説明する。
【００２１】
図１は、この発明の第１実施形態に係る温浴装置を示す斜視図である。また、図２は、その側方から一部を断面にして示す要部断面図である。
【００２２】
この発明の第１実施形態に係る温浴装置は、座部１１と背凭れ部１２とを有する椅子１０と、椅子１０における座部１１の下方に配置される脚用の温浴槽２２と、椅子１０における座部１１の各側方に配置される一対の腕用の温浴槽２１（以下、「脚用の温浴槽２２」と「腕用の温浴槽２１」とを総称して「温浴槽２０」という。）と、温浴槽２０に流入出する液体の処理を行う液体処理装置１とを備える。
【００２３】
この温浴装置は、このように脚用の温浴槽２２と、一対の腕用の温浴槽２１とを備えることから、局所的に体内の血行を促進させることが可能となる。
【００２４】
図３は、この発明の第１実施形態に係る温浴装置における液体の循環を示す模式図である。
【００２５】
液体処理装置１において処理された液体は、給液管３１、３２を介して腕用の温浴槽２１に供給される。処理された腕用の温浴槽２１に供給されることにより、腕用の温浴槽２１からオーバーフローする液体は、排液管４１、４２を介して排液される。排液管４１、４２に排液された液体は、給液管３３を介して脚用の温浴槽２２に供給される。脚用の温浴槽２２に貯留されている液体は、液体処理装置１に備えられるポンプ６０により排液管４３を介して再び液体処理装置１に排液され、液体処理装置１において処理される。
【００２６】
液体処理装置１は、液体の加熱機構としてのヒータ５０と、温浴槽２０とヒータ５０との間で液体を循環させる流路７１乃至７５を有する循環機構７０と、循環機構７０により循環する液体中に気体を供給する気体供給機構９０と、循環機構７０により循環する液体を浄化するためのろ過機構１００と、気体供給機構９０により供給された気体を混合して溶解させる混合機構１１０とを備える。
【００２７】
この温浴装置は、このような液体処理装置１を備えることから、脚用の温浴槽２２と一対の腕用の温浴槽２１とを同一の循環機構７０に接続するように構成される。このため、脚用の温浴槽２２に供給される液体と、一対の腕用の温浴槽２１に供給される液体とを共用することが可能となる。
【００２８】
循環機構７０は、脚用の温浴槽２２から液体を吸液するためのポンプ６０に接続される流路７２と、流路７２とろ過機構１００とを接続する流路７３と、ろ過機構１００と混合機構１１０とを接続する流路７４と、混合機構１１０とヒータ５０とを接続する流路７５とを備える。
【００２９】
なお、流路７２と流路７３との間には、温浴装置外部の排液管８３に接続される排液管８２と流路７３とのいずれか一方と流路７２とを接続させる切替弁５２が備えられる。これにより、液体を脚用の温浴槽２２から直接排液管８３に排液することが可能となる。
【００３０】
また、ヒータ５０は、排液管８３に開閉弁５１および排液管８２を介して接続される。これにより、ヒータ５０から腕用の温浴槽２１への液体の供給量を簡易に調整することが可能となる。
【００３１】
気体供給機構９０は、気体供給部からの気体の流量を調整する調節弁９１と、気体の逆流を防止するための逆止弁９２とを備え、循環機構７０における流路７３に接続される。これにより、気体の供給量を調整することが可能となる。
【００３２】
図４は、この発明の第１実施形態に係る温浴装置を構成するろ過機構１００を示す説明図である。
【００３３】
ろ過機構１００は、上部に開口部を有する筒状の容器１０１と、容器１０１の開口部を閉止するための蓋部材１０２と、容器１０１内部に配設されるろ過フィルタ１０３とを備える。蓋部材１０２には、流路７３に接続され、容器１０１内部へと挿通する流入孔部１０２ｂとが形成される。これにより、流路７３から供給される液体をろ過フィルタ１０３によりろ過した後に流路７４に排出することが可能となる。
【００３４】
図５は、この発明の第１実施形態に係る温浴装置を構成する混合機構１１０を示す説明図である。
【００３５】
混合機構１１０は、上部に開口部を有する筒状の容器１１１と、容器１１１の開口部を閉止するための蓋部材１１２と、容器１１１内部に配設される筒状体１１３とを備える。蓋部材１１２には、流路７４に接続され、容器１１１内部へと挿通する流入孔部１１２ａと、流路７５に接続され、容器１１１内部へと挿通する流出孔部１１２ｂとが形成される。筒状体１１３は、下端部開口１１３ａが容器１１１の底部に近接して配置されるとともに、上端部開口１１３ｂが蓋部材１１２の流出孔部１１２ｂを介して流路７５に接続される。
【００３６】
このため、流路７４から供給される液体は、容器１１１の底部まで到達した後に流路７５に排出されることとなる。これにより、液体と気体との比重差により、上昇しようとする気体流と流路７４から供給される液体流とにより容器１１１内部に対流が発生し、液体中に気体を適度に溶解させることが可能となる。
【００３７】
図６乃至図８は、温浴槽２０を組み立てる状態を示す説明図である。
【００３８】
温浴槽２０は、その内壁に複数の短冊状の木製の板部材２３が敷設される。なお、この板部材２３は、檜からなる。このため、美観や芳香性に優れた効果を奏し、特に、ヒノキチオール成分を温浴槽２０内に貯留される液体に溶解させることが可能となる。また、板部材２３は、厚み５ｍｍ乃至７ｍｍ、長さ２４ｍｍ乃至２７ｍｍ程度の大きさで構成されることが好ましい。ただし、板部材２３は、この大きさに限られるものではない。また、温浴槽２０は、たとえば、不錆金属や合成樹脂等の水密性の材料からなる。このため、内壁に敷設される木製の板部材２３から液体が漏れたとしても、温浴槽２０外部へ液体が漏れることがない。また、板部材２３は、温浴槽２０に着脱自在に敷設される。このため、板部材２３の状態が悪化した場合でも、簡易に板部材２３を取り換えることが可能となる。
【００３９】
この温浴槽２０の内壁に板部材２３を敷設する場合には、図６に示すように、まず、温浴槽２２の底辺に複数の底辺用板部材２３ａを敷設する。
【００４０】
次に、図７に示すように、温浴槽２０の横方向側壁に複数の横側壁用板部材２３ｂを、温浴槽２０の底面に対して水平方向に並列した状態で底辺用板部材２３ａの平面上方に配置させる。そして、横側壁用板部材２３ｂを底辺用板部材２３ａに対してその上方から押圧させる。
【００４１】
さらに、図８に示すように、温浴槽２０の縦方向側壁に複数の縦側壁用板部材２３ｃを、温浴槽２０の底面に対して水平方向に並列した状態で底辺用板部材２３ａの平面上方に配置させる。そして、縦側壁用板部材２３ｃを底辺用板部材２３ａに対してその上方から押圧させる。これとともに、縦側壁用板部材２３ｃを、横側壁用板部材２３ｂの前面に当接して配置させる。そして、縦側壁用板部材２３ｃを横側壁用板部材２３ｂに対してその前面から押圧させる。なお、温浴槽２０には、オーバーフロー管２５が形成され、このオーバーフロー管２５を介して温浴槽２０のに貯留される液体を排液する。このオーバーフロー管２５により、温浴槽２０に貯留される液体量を制限することができる。
【００４２】
以上のようにして、底辺用板部材２３ａ、横側壁用板部材２３ｂ、および、縦側壁用板部材２３ｃを配置させた後、縦側壁板部材２３ｃを固定部材２４により押止する。
【００４３】
この発明に係る温浴装置は、以上のような構成を有することから、簡易な構成でありながら、温浴槽２０の内壁に板部材２３を敷設することが可能となる。そして、温浴槽２０と板部材２３とは着脱自在な構成を有することから、板部材２３の長期間の使用により板部材２３の状態が悪化（変色、くすみ、ぬめり等が板部材２３表面へ現れること等）した場合に、板部材２３を簡易に取り換えることが可能となる。これにより、板部材２３の状態の悪化により非衛生的、または清潔感を欠くような印象を与えることを防止し、高級感、美観、芳香性に優れた状態を維持することが可能となる。
【００４４】
なお、温浴槽２０における縦側壁には、縦側壁用板部材２３ｃの他、縦側壁用板部材２３ｃと縦側壁用板部材２３ｃとの間に配置される補充用板部材２３ｄが敷設されてもよい。
【００４５】
このような温浴装置を使用する場合には、まず、一対の腕用の温浴槽２１および脚用の温浴槽２２に水を貯留する。そして、脚用の温浴槽２２に貯留される水は、ポンプ６０の吸液により排液管４３を介して液体処理装置１に排液される。そして、液体処理装置１に排液された水は、流路７２を介して流路７３に流入する。流路７３に流入した水に対して、気体供給機構９０から二酸化炭素が供給される。なお、流路７２に流入した水をこの温浴装置内を循環させることなく外部へ排出する場合には、切替弁５を切り替えることにより、排液管８２に排出させて排液する。また、気体供給機構９０から供給される二酸化炭素の供給量は、調節弁９１および逆止弁９２の調節により、調整することができる。
【００４６】
流路７３において二酸化炭素が供給された水は、ろ過機構１００に流入する。ろ過機構１００に流入した水は、ろ過機構１００におけるろ過フィルタ１０３の作用により、浄化される。ろ過機構１００において浄化された水は、流路７４に流入する。流路７４に流入した水は、混合機構１１０に流入する。ここで、容器１１１の内部で発生する対流の作用により、混合機構１１０に流入した水に、気体供給機構９０において供給された二酸化炭素が適度に溶解される。
【００４７】
このようにして二酸化炭素が適度に溶解された水は、流路７５に流入する。流路７５に流入した水は、ヒータ５０に流入する。ヒータ５０に流入した水は、ヒータ５０の作用により、昇温される。このようにして昇温された水は、給液管３１、３２に流入して、液体処理装置１から流出する。なお、ヒータ５０により昇温された水をこの温浴装置内を循環させることなく外部へ排出する場合には、開閉弁５１を開放することにより、排液管８１に排出させて排液する。
【００４８】
そして、給液管３１、３２に流入した水は、一対の腕用の温浴槽２１に供給される。このように、水が給液管３１、３２を介して腕用の温浴槽２１に供給されることにより、腕用の温浴槽２１に予め貯留されていた水が、腕用の温浴槽２１からオーバーフローして、排液管４１、４２に排液される。排液管４１、４２に排液された水は、給液管３３に流入する。給液管３３に流入した水は、脚用の温浴槽２２に流入する。
【００４９】
このようにして、水を浄化し、この浄化した水に対して二酸化炭素を混合して溶解させた後、水を昇温させながら、腕用の温浴槽２１と脚用の温浴槽２２と液体処理装置１との間で水を循環させることが可能となる。
【００５０】
このように、この発明の実施形態に係る温浴装置によれば、温浴槽２０に二酸化炭素が溶解された水が貯留されることから、温浴槽２０に体の一部を浸漬させることにより、体内の血行をより促進させることが可能となる。
【００５１】
次に、この発明の他の実施形態に係る温浴装置について図面に基づいて説明する。
【００５２】
図９乃至図１１は、この発明の第２実施形態に係る温浴装置を構成する温浴槽２０を組み立てる状態を示す説明図である。
【００５３】
第１実施形態の温浴槽２０には、温浴槽２０の底面に対して水平方向に並列した状態で横側壁用板部材２３ｂおよび縦側壁用板部材２３ｃが配置されるのに対し、第２実施形態の温浴槽２０には、温浴槽２０の底面に対して垂直方向に並列した状態で横側壁用板部材２３ｄおよび縦側壁用板部材２３ｅが配置される点で、第１実施形態に係る温浴装置と第２実施形態に係る温浴装置とは異なる。
【００５４】
この第２実施形態の温浴槽２０の内壁に板部材２３を敷設する場合には、図９に示すように、まず、温浴槽２２の底辺に複数の底辺用板部材２３ａを敷設する。
【００５５】
次に、図１０に示すように、温浴槽２０の横方向側壁に複数の横側壁用板部材２３ｄを、温浴槽２０の底面に対して水平方向に並列した状態で底辺用板部材２３ａの平面上方に配置させる。そして、横側壁用板部材２３ｄを底辺用板部材２３ａに対してその上方から押圧させる。この横側壁用板部材２３ｄは、底辺用板部材２３ａに対して固定部材２６ａにより固定される。
【００５６】
さらに、図１１に示すように、温浴槽２０の縦方向側壁に複数の縦側壁用板部材２３ｅを、温浴槽２０の底面に対して垂直方向に並列した状態で底辺用板部材２３ａの平面上方に配置させる。そして、縦側壁用板部材２３ｅを底辺用板部材２３ａに対してその上方から押圧させる。これとともに、縦側壁用板部材２３ｅを、横側壁用板部材２３ｄの前面に当接して配置させる。そして、縦側壁用板部材２３ｅを横側壁用板部材２３ｄに対してその前面から押圧させる。この縦側壁用板部材２３ｅは、底辺用板部材２３ａに対して固定部材２６ｂにより固定される。
【００５７】
図１２は、この発明の第３実施形態に係る温浴装置を構成する温浴槽２０を組み立てる状態を示す説明図である。
【００５８】
第２実施形態の温浴槽２０の横側壁用板部材２３ｄは、底辺用板部材２３ａに対して固定部材２６ａにより固定され、縦側壁用板部材２３ｅは、底辺用板部材２３ａに対して固定部材２６ａにより固定されるのに対し、第３実施形態の温浴槽２０の横側壁用板部材２３ｄおよび縦側壁用板部材２３ｅは、固定部材２６ｃにより温浴槽２０本体に対して固定される点で、第２実施形態に係る温浴装置と第３実施形態に係る温浴装置とは異なる。
【００５９】
この第３実施形態の温浴槽２０によれば、単一の固定部材２６ｃにより板部材２３を固定することが可能となる。
【００６０】
なお、上述した実施形態において、温浴槽２０に敷設される板部材２３は檜から構成されているが、檜以外の木材から構成してもよい。また、高級木材からなる板部材２３と廉価木材からなる板部材２３とを組み合わせて温浴槽２０に敷設してもよい。この場合にも、美観および芳香性に優れた温浴装置を構成することが可能となる。
【００６１】
また、上述した実施形態において、横側壁用板部材２３ｂを底辺用板部材２３ａの平面上方に配置し、縦側壁用板部材２３ｃを底辺用板部材２３ａの平面上方に配置するとともに、横側壁用板部材２３ｂの前面に当接して配置しているが、このような配置関係に限定することはなく、これら底辺用板部材２３ａ、横側面用板部材２３ｂ、縦側面用板部材２３ｃの配置関係を変更してもよい。
【００６２】
また、上述した実施形態において、温浴装置は腕用の温浴槽２１と脚用の温浴槽２２とを備えるが、腕用の温浴槽２１または脚用の温浴槽２２に代えて、一般の温浴槽、または、腕や脚の他の体の局所を浸漬するための温浴槽であってもよい。
【００６３】
また、上述した実施形態において、座部１１や背凭れ部１２の内側に、たとえばモータ等を駆動源として上下または水平方向にスライド移動可能な複数の突状体を配置したり、振動部材を配置したりすることにより、マッサージ機能を有する椅子１０を備えてもよい。
【００６４】
また、上述した実施形態において、温浴槽２０はジェット水流バルブを介して給液管３１、３２、３３と接続されてもよい、これにより、温浴槽２０内にジェット水流が発生し、体内の血行をより促進することが可能となる。
【００６５】
また、上述した実施形態において、気体供給機構９０を備えているが、気体供給機構９０に加えて、たとえば体内の血行を促進する効果を奏する有機ゲルマニウム等を供給する血行促進物供給機構を備えてもよい。この場合においても、血行促進物供給機構により血行促進物が供給された液体が混合機構１００またはろ過混合機構１２０を通過することにより、液体に血行促進物を適度に溶解させることが可能となる。
【００６６】
また、上述した実施形態においては、容器１１１と蓋部材１１２と筒状体１１３とを備える混合機構１１０を備えているが、この混合機構１１０に代えて、図９に示すような混合機構２００を備えてもよい。この混合機構２００は、混合槽２１０と、混合槽２１０において液体と気体とを混合するための循環手段２２０と、混合槽２１０に液体を供給するための管路２１１と、混合槽２１０に気体を供給するための管路２１２と、を備える。そして、この循環手段２２０は、循環ポンプ２２１と、混合槽２１０から循環ポンプ２２１に液体を流入するための流入路２３１と、循環ポンプ２２１から混合槽２１０に液体を流出させるための流出路２３２と、を備える。また、循環手段２２０においては、流入路２３１に加熱手段としてのヒータ２２２が配設されてもよい。このように加熱手段を流入路２３１に配設する場合には、温浴槽２０の液体を適温に維持することが可能となる。さらに、混合槽２１０には、その上方にエア抜きのための開口部が形成され、開閉弁２１３により開閉自在に制御される。なお、この循環ポンプ２２１は、混合槽２１０の内側に配設されてもよく、混合槽２１０の外側に配設されてもよい。このような混合槽２１０を備える混合機構２００によれば、混合槽２１０に対して液体および気体を連続して供給することにより、混合槽２１０内で対流が発生し、混合槽２１０内に供給された液体と気体とを十分に混合することが可能となる。
【００６７】
また、上記の混合機構２００を備える場合には、図１０に示すように、液体を供給するための管路２１１に供給管２５０を接続してもよい。この供給管２５０には、多数の孔部２５１が穿設される。この供給管２５０を管路２１１に接続することにより、液体が管路２１１からこれらの多数の孔部２５１を通過して混合槽２１０に供給される。このため、液体が混合槽２１０にシャワー状に放出され、気体の溶解効率を高めることが可能となる。なお、この供給管２５０は、管路２１１において混合槽２１０内に挿通された部分に接続されていれば、混合液中に浸漬されている状態であっても、浸漬されない状態であっても有効である。混合液中に浸漬されている状態であれば、多数の孔部２５１から液体が流出することにより混合槽２１０中に対流が生じる。このため、混合槽２１０内部の液体と気体とを十分に混合することが可能となる。一方、混合液中に浸漬されていない状態であれば、多数の孔部２５１から流出する液体がより多くの気体と接触する。このため、混合槽２１０内部の液体と気体とを十分に混合することが可能となる。
【００６８】
さらに、上述の混合機構２００において、循環手段２２０に代えて、混合槽２１０内に配置される水中ポンプを備えてもよい。こにょうに水中ポンプを備える場合には、混合槽２１０内部に貯留される液体の作用により、水中ポンプ自体を冷却することが可能となる。これにより、混合槽２００の外部に循環手段２２０を備える場合と比較して、長時間継続して運転することが可能となる。また、水中ポンプの駆動により生じる熱の作用により、混合槽２１０内部に貯留される液体を昇温させることが可能となる。これによりヒータの加熱により生じるコストを低減することが可能となる。
【図面の簡単な説明】
【００６９】
【図１】この発明の実施形態に係る温浴装置を示す斜視図である。
【図２】この発明の実施形態に係る温浴装置をその側方から一部を断面にして示す要部断面図である。
【図３】この発明の実施形態に係る温浴装置における液体の循環を示す模式図である。
【図４】この発明の実施形態に係る温浴装置を構成するろ過機構１００を示す説明図である。
【図５】この発明の実施形態に係る温浴装置を構成する混合機構１１０を示す説明図である。
【図６】温浴槽２０を組み立てる状態を示す説明図である。
【図７】温浴槽２０を組み立てる状態を示す説明図である。
【図８】温浴槽２０を組み立てる状態を示す説明図である。
【図９】この発明の第２実施形態に係る温浴装置を構成する温浴槽２０を組み立てる状態を示す説明図である。
【図１０】この発明の第２実施形態に係る温浴装置を構成する温浴槽２０を組み立てる状態を示す説明図である。
【図１１】この発明の第２実施形態に係る温浴装置を構成する温浴槽２０を組み立てる状態を示す説明図である。
【図１２】この発明の第３実施形態に係る温浴装置を構成する温浴槽２０を組み立てる状態を示す説明図である。
【図１３】混合槽２１０の周辺を示す説明図である。
【図１４】管路２１１に接続するための供給管２５０を側面から示す部分断面図である。
【符号の説明】
【００７０】
１      液体処理装置
２      液体処理装置
１０    椅子
１１    座部
１２    背凭れ部
２０    温浴槽
２１    腕用の温浴槽
２２    脚用の温浴槽
２３    板部材
２４    固定部材
２５    オーバーフロー管
２６    固定部材
３１    給液管
３２    給液管
３３    給液管
４１    排液管
４２    排液管
４３    排液管
５１    開閉弁
５２    切替弁
６０    ポンプ
７０    循環機構
７２    流路
７３    流路
７４    流路
７５    流路
８１    排液管
８２    排液管
８３    排液管
９０    気体供給機構
９１    調整弁
９２    逆止弁
１００  ろ過機構
１０１  容器
１０２  蓋部材
１０３  ろ過フィルタ
１１０  混合機構
１１１  容器
１１２  蓋部材
１１３  筒状体
１２０  ろ過混合機構
２００  混合機構
２１０  混合槽
２１１  管路
２１２  管路
２１３  開口部
２２０  循環手段
２２１  循環ポンプ
２２２  ヒータ
２３１  流入路
２３２  流出路
２５０  供給管
２５１  孔部
【図１】
2007000165.tif 000003
【図２】
2007000165.tif 000004
【図３】
2007000165.tif 000005
【図４】
2007000165.tif 000006
【図５】
2007000165.tif 000007
【図６】
2007000165.tif 000008
【図７】
2007000165.tif 000009
【図８】
2007000165.tif 000010
【図９】
2007000165.tif 000011
【図１０】
2007000165.tif 000012
【図１１】
2007000165.tif 000013
【図１２】
2007000165.tif 000014
【図１３】
2007000165.tif 000015
【図１４】
2007000165.tif 000016